(57)【要約】【目的】光ピップアップやこれに接続するフレキシブル配線に悪影響を与えずに光ピックアップを円滑に移動させ得る光ピックアップ送り機構を提供する。【構成】送りねじ４の回転駆動により、光ピックアップ２がチルト調整可能とされるガイド軸５に沿って移動するようにした光ピックアップ送り機構３である。光ピックアップ２にはＵ字状の折返し部１５Ａを有するフレキシブル配線１５の一端が接続されると共に、フレキシブル配線１５の他端が所定位置に固定される回路基板２０に接続される。ガイド軸５には光ピックアップ２と回路基板２０との間でフレキシブル配線１５を押えるプロテクトカバー１６が固設され、そのプロテクトカバー１６と光ピックアップ２の表面部との間に一定のギャップＧが形成される。【選択図】図１
2006147013.tif 000002
【特許請求の範囲】
【請求項１】
光ピックアップがガイド軸に沿って移動する光ピックアップ送り機構において、前記光ピックアップにＵ字状の折返し部を有するフレキシブル配線の一端が接続されると共に、前記フレキシブル配線の他端が所定位置に固定される回路基板に接続され、
前記ガイド軸には前記フレキシブル配線を前記Ｕ字状の外側から押えるプロテクトカバーが固設されてなることを特徴とする光ピックアップ送り機構。
【発明の詳細な説明】
【技術分野】
【０００１】
本発明は情報の記録や再生を行うディスク駆動装置に用いられる光ピックアップ送り機構に係わり、特に光ピックアップに接続するフレキシブル配線のふらつきを防止しながら装置の小型化を図れるようにした光ピックアップ送り機構に関する。
【背景技術】
【０００２】
従来、ＣＤプレーヤやＤＶＤレコーダといった種々のディスク駆動装置が知られるが、その種の装置は情報記録媒体としてのディスクを回転させるターンテーブルほか、ディスクの半径方向に移動する光ピックアップを具備して構成される。特に、光ピックアップはその両側が送りねじとガイド軸、又は２つのガイド軸により支持され、送りねじの回転駆動によりガイド軸に沿って移動可能とされる。又、光ピックアップは、帯状のフレキシブル配線（ＦＰＣ：フレキシブルプリンテッドサーキット）を介して所定位置に固定される回路基板と接続され、そのフレキシブル配線を通じて回路基板との間で制御信号を遣り取りできるようになっている。
【０００３】
係るフレキシブル配線によれば、Ｕ字状の折返し部を有して光ピックアップの移動を阻害することなく制御信号の配信を行うことが可能であるものの、その両端を光ピックアップと回路基板に接続しただけでは中間部分がふらついて駆動系の部分に巻き込まれる危険性がある。このため、光ピックアップと回路基板との間でフレキシブルを押えてそのふらつきを防止することが一般に広く行われている。
【０００４】
その一例として、図６のようにディスク面に沿うメカカバーＣと光ピックアップＰとの間の空間に、フレキシブル配線Ｆの折返し部から基板までの部分を通すようにしたものが知られる（例えば、特許文献１）。
【０００５】
【特許文献１】特開平１１−１９５２９０号公報
【発明の開示】
【発明が解決しようとする課題】
【０００６】
然しながら、特許文献１によれば、光ピックアップとメカカバーとのギャップを小さく設定した場合、光ピックアップの移動に支障を来たす虞がある。つまり、光ピックアップはディスク面にレーザ光を照射し、ディスクからの反射光量の大きさによってピットの有無を検出するため、ディスク面に対するレーザ光の傾きが大きいと反射光を受光できなくなってピットの読み取りエラーを発生するところ、ディスク面に対するレーザ光の入射角を許容範囲に収めるべく光ピックアップの移動案内をするガイド軸はディスク面に対する傾き（チルト）が調整可能とされる。
【０００７】
よって、光ピックアップとメカカバーのギャップを小さく設定した場合、ガイド軸のチルト調整に際して光ピックアップがメカカバーに接触して円滑な移動が損なわれる危険性がある。
【０００８】
一方、以上のような危険性を回避するべく、チルト調整による光ピックアップの上下移動量を考慮して光ピックアップとメカカバーのギャップを大きく設定すると、装置の大型化を余儀なくされる。
【０００９】
ここで、特許文献１のメカカバーに相当する部材を光ピックアップに取り付けることも考えられるが、これでは光ピックアップの振動特性に悪影響を与えないようにする必要から設計の自由度が小さくなり、しかも光ピックアップは汎用品としてモジュール化されているのでカバー付では汎用性を損なうという問題がある。
【００１０】
本発明は以上のような事情に鑑みて成されたものであり、その目的は光ピップアップやこれに接続するフレキシブル配線に悪影響を与えずに光ピックアップを円滑に移動させ得るようにすることにある。
【課題を解決するための手段】
【００１１】
本発明は上記目的を達成するため、光ピックアップ２がガイド軸５に沿って移動する光ピックアップ送り機構において、前記光ピックアップ２にＵ字状の折返し部１５Ａを有するフレキシブル配線１５の一端が接続されると共に、前記フレキシブル配線１５の他端が所定位置に固定される回路基板２０に接続され、前記ガイド軸５には前記フレキシブル配線１５を前記Ｕ字状の外側から押えるプロテクトカバー１６が固設されてなることを特徴とする光ピックアップ送り機構３を提供する。
【発明の効果】
【００１２】
本発明によれば、光ピックアップの移動案内をするガイド軸にプロテクトカバーを固設し、そのプロテクトカバーにより光ピックアップに接続するフレキシブル配線を押えるようにしていることから、ガイド軸のチルト調整を行う場合もプロテクトカバーと光ピックアップの表面部とのギャップを一定に保つことができる。
【００１３】
このため、ガイド軸のチルト調整により光ピックアップがプロテクトカバーに接触して円滑な移動を阻害されることがなく、しかもプロテクトカバーと光ピックアップの表面部とのギャップを可及的小さく設定して装置全体の小型化を図ることができる。
【００１４】
又、プロテクトカバーをガイド軸に固設することから、面積の大きいプロテクトカバーでも光ピックアップに対し悪影響を及ぼすような振動が直接作用することがなく、しかも光ピックアップに改良を加えることなく汎用品をそのまま使用できるので実用化が容易である。
【発明を実施するための最良の形態】
【００１５】
以下、本発明を図面に基づいて詳しく説明する。図１はＤＶＤレコーダやＣＤプレーヤといったディスク駆動装置の内部構造を示した概略図である。図１において、１はディスクＤの中心部を支持して該ディスクを回転させるターンテーブルであり、これにより回転されるディスクＤの盤面には光ピックアップ２からレーザ光が照射される。光ピックアップ２はディスクＤに照射すべきレーザ光を発生するレーザダイオード、そのレーザ光をディスクの盤面に収束させるための対物レンズ、並びにディスクからの反射光を検出するフォトダイオードなどを具備して構成される光学部品であり、これはターンテーブル１で支持されたディスクＤの盤面に沿ってその半径方向に移動する。
【００１６】
３は光ピックアップをディスクの半径方向に移動させるための送り機構であり、係る送り機構３は、光ピックアップ２を挟んで並列状に設けられる送りねじ４とガイド軸５を具備して構成される。そして、光ピックアップ２はその両側を送りねじ４とガイド軸５で支持され、片側を支持した送りねじ４の回転駆動により該送りねじ４とガイド軸５に沿って移動するようになっている。
【００１７】
６は送りねじ４を回転駆動させるための駆動源（モータ）であり、その駆動軸には原動ギヤ７（ウォーム）が固定され、原動ギヤ７には伝動ギヤ８が噛み合わされる。又、送りねじ４の一端には駆動源６から回転駆動力を得るための従動ギヤ９（ウォーム）が固定され、その従動ギヤ９が伝動ギヤ８に噛み合わされている。
【００１８】
一方、光ピックアップ２の一端側には、送りねじ４を貫通せしめる前後一対の摺動部１０が形成されると共に、その摺動部１０，１０の間には送りねじ４の螺旋溝内に嵌め込まれる後述の爪をもつラック状のランナプレート１１が取り付けられる。又、光ピックアップ２の他端側にはガイド軸５の外周部に嵌合される摺動部１２が形成される。
【００１９】
よって、駆動源６を駆動して送りねじ４を正逆に回転させると、その送りねじ４とガイド軸５に沿って光ピックアップ２が往復直線運動をし、これにより光ピックアップ２が全体としてディスクＤの半径方向に移動する。尚、装置のシャーシには送りねじ４とガイド軸５の両端を支持する受座１３，１４が取り付けられ、その受座１３，１４にはターンテーブル１で支持されたディスクＤの盤面に対し送りねじ４とガイド軸５の傾きを調整可能とするチルト調整手段として、送りねじ４及びガイド軸５の両端部を挟んで調整ネジと弾性部材とが対向状態に設けられる。
【００２０】
次に、図２は光ピックアップ送り機構を拡大して示した平面図である。図２において、１５は帯状を成すフレキシブル配線（ＦＰＣ）であり、その一端は光ピックアップ２に接続されている。そして、光ピックアップ２はフレキシブル配線１５を介して後述する回路基板と電気的に接続され、係るフレキシブル配線１５を通じて回路基板と制御信号を遣り取りできるようになっている。
【００２１】
１６はフレキシブル配線の浮き上がりを防止するためのプロテクトカバーであり、係るプロテクトカバー１６は、フレキシブル配線１５上を覆って該フレキシブル配線をＵ字状の外側でディスクの配置側から押え付けている。これにより、光ピックアップ２の移動時にもフレキシブル配線１５が浮き上がってディスクに接触したり、装置の駆動系に巻き込まれたりせず、そのフレキシブル配線１５を通じて常に制御信号の遣り取りが可能とされる。特に、フレキシブル配線１５を押えるプロテクトカバー１６は、従来のように装置のシャーシに取り付けられるのでなく、光ピックアップ２の移動案内をするガイド軸５に固設される。
【００２２】
図３、図４から明らかなように、プロテクトカバー１６は断面矩形状のガイド軸の側面部に固着される脚部１７を有してガイド軸５と一体化され、光ピックアップ２の表面部に対してプロテクトカバー１６が一定のギャップＧ（０．３ｍｍ程度）を有して近接される。
【００２３】
尚、光ピックアップ２の表面部とはディスクＤに対向する側でプロテクトカバー１６により覆われる部分の面を指すが、これが全くの平面でない場合にはプロテクトカバー１６で覆われる面のうち最も高さの大きい部分をいう。
【００２４】
又、本例において、ガイド軸５とプロテクトカバー１６は合成樹脂による一体成型品とされるが、別体としてガイド軸５に対して脚部１７をロウ付けしたりネジ止めするなどしてもよい。但し、脚部１７は光ピックアップ２の移動を阻害せぬようその摺動部１２と干渉しない位置に固着されること勿論である。
【００２５】
そして、以上のようなプロテクトカバー１６によれば、ガイド軸５のチルト調整を行う場合でも、そのガイド軸５により支持される光ピックアップ２の表面部とのギャップＧを一定に保つことができる。従って、ガイド軸５のチルト調整により光ピックアップ２がプロテクトカバー１６に接触して円滑な移動が妨げられるという事が無く、プロテクトカバー１６と光ピックアップ２の表面部とのギャップＧを可及的小さく設定して装置の小型化（薄型化）を図りながら光ピップアップ２の円滑な移動を保障できる。
【００２６】
因みに、図３において、１８はガイド軸のチルト調整を行うための調整ネジ、１９はガイド軸の両端部を挟んで調整ネジ１８に対向する弾性部材（本例においてトーションバネ）であり、調整ネジ１８を回転操作した場合にはガイド軸５のチルト（傾き)が変化しながら光ピックアップ２の姿勢が図４のように変化する。
【００２７】
つまり、ガイド軸５のチルト調整により光ピックアップ２の一端側がディスクＤに対して近付いたり離れたりするが、本発明では光ピックアップ２の上下動に伴ってプロテクトカバー１６も上下動するため両者のギャップＧを一定に保つことができる。尚、プロテクトカバー１６に対して光ピックアップ２が接触しなくても、送りねじ４とガイド軸５が非平行であれば光ピックアップ２の円滑な移動が阻害されるので、送りねじ４も上記のようにチルト調整手段でチルト調整が可能とされる。
【００２８】
又、図３のように、フレキシブル配線１５はＵ字状の折返し部１５Ａを有して一端が光ピックアップ２に接続されると共に、他端がディスクの配置側とは逆の光ピックアップ２の下方に配される回路基板２０に接続され、折返し部１５Ａよりも光ピックアップ２側がプロテクトカバー１６の裏面に接触されるのであり、このためフレキシブル配線１５はディスク側に浮き上がらず、光ピックアップ２の移動に伴ってディスクの半径方向に引き出されたり押し戻されたりする。尚、回路基板２０は装置のシャーシなどに対して固定される。
【００２９】
更に、図４において、４Ａは送りねじ４の外周に形成される螺旋溝、１１Ａはその螺旋溝４Ａ内に嵌め込まれるランナプレート１１の爪であり、その爪１１Ａは螺旋溝４Ａと同等の幅を有する小片状の突起として螺旋溝４Ａと同ピッチで複数設けられる。
【００３０】
以上、本発明について説明したが、光ピックアップは送りねじとガイド軸で支持されることに限らず、例えば図５のように左右一対のガイド軸５により光ピックアップ２を支持し、これに取り付けたランナプレート１１をガイド軸５の外側に配した送りねじ４に係合させるようにしてもよく、この場合には左右何れか一方のガイド軸５にプロテクトカバー１６を設ける構成とされる。
【００３１】
又、光ピックアップ２は、送りねじ４の回転駆動によるものに限らず、周知の駆動機構によるものでもよい。例えば、光ピックアップ側に設けたラックと、モータに連結されたピニオンギヤとを噛合させて光ピックアップを移動させる機構でもよい。
【図面の簡単な説明】
【００３２】
【図１】本発明に係る光ピックアップ送り機構を備えたディスク駆動装置の平面概略図
【図２】本発明に係る光ピックアップ送り機構を拡大して示した平面図
【図３】同送り機構を側方からみた作用説明図
【図４】同送り機構を正面側からみた作用説明図
【図５】本発明の他の実施態様を示す平面概略図
【図６】従来例の説明図
【符号の説明】
【００３３】
１  ターンテーブル
２  光ピックアップ
３  光ピックアップ送り機構
４  送りねじ
５  ガイド軸
１５  フレキシブル配線
１６  プロテクトカバー
１８  調整ネジ（ガイド軸のチルト調整手段）
１９  弾性部材（ガイド軸のチルト調整手段）
２０  回路基板
【図１】
2006147013.tif 000003
【図２】
2006147013.tif 000004
【図３】
2006147013.tif 000005
【図４】
2006147013.tif 000006
【図５】
2006147013.tif 000007
【図６】
2006147013.tif 000008